(57)【要約】【課題】ノーマルモードのインピーダンスを低くした積層型コモンモードチョークコイルを提供すること。【解決手段】第１上部導体３１ａ及び第１下部導体３１ｂが第１スルーホール２２ａを介して連続するよう接続された第１内部導体３１と、第２上部導体３２ａ及び第２下部導体３２ｂが第２スルーホール２２ｂを介して連続するよう接続された第２内部導体３２とが同じ長さとされ、非磁性絶縁材料層２０は、第１上部導体３１ａを外側にかつ第２上部導体３２ａを内側に配置して互いに短絡しないようそれぞれを１ターン以上設けた非磁性絶縁材料２２と、第１下部導体３２ａを外側にかつ第２下部導体３２ｂを内側に配置して互いに短絡しないようそれぞれを１ターン以上設けた非磁性絶縁材料２３と、を具備して上から順に積層されている。【選択図】  図１
2004304118.tif 000002
【特許請求の範囲】
【請求項１】
複数の非磁性絶縁材料を積層し同方向の渦巻状とした第１及び第２の内部導体を形成する非磁性絶縁材料層と、該非磁性積層体層の上下両面に配置された磁性材料層とを具備してなる積層体に、前記第１及び第２の内部導体に接続された外部電極が設けられている積層型コモンモードチョークコイルであって、
第１上部導体及び第１下部導体が第１スルーホールを介して連続するよう接続された前記第１の内部導体と、第２上部導体及び第２下部導体が第２スルーホールを介して連続するよう接続された前記第２の内部導体とが同じ長さとされ、
前記非磁性絶縁材料層は、前記第１上部導体を外側にかつ前記第２上部導体を内側に配置して互いに短絡しないようそれぞれを１ターン以上設けた非磁性絶縁材料Ａと、前記第１下部導体を外側にかつ前記第２下部導体を内側に配置して互いに短絡しないようそれぞれを１ターン以上設けた非磁性絶縁材料Ｂと、を具備して上から順に積層されていることを特徴とする積層型コモンモードチョークコイル。
【請求項２】
複数の非磁性絶縁材料を積層し同方向の渦巻状とした第１及び第２の内部導体を形成する非磁性絶縁材料層と、該非磁性積層体層の上下両面に配置された磁性材料層とを具備してなる積層体に、前記第１及び第２の内部導体に接続された外部電極が設けられている積層型コモンモードチョークコイルの製造方法であって、
前記非磁性絶縁材料層は、第１上部導体を外側にかつ第２上部導体を内側に配置して互いに短絡しないようそれぞれ１ターン以上設けた非磁性絶縁材料Ａと、第１下部導体を外側にかつ第２下部導体を内側に配置して互いに短絡しないようそれぞれ１ターン以上設けた非磁性絶縁材料Ｂとを積層し、
前記第１上部導体から第１スルーホールを介して前記第１下部導体に接続される前記第１の内部導体の有効長さと、前記第２上部導体から前記第２スルーホールを介して前記第２下部導体に接続される前記第２の内部導体の有効長さとを等しくすることを特徴とする積層型コモンモードチョークコイルの製造方法。
【発明の詳細な説明】
【０００１】
【発明の属する技術分野】
本発明は、電子機器に侵入するコモンモードノイズを除去する積層型コモンモードチョークコイル及びその製造方法に係り、特に、ノーマルモードにおけるインピーダンス値を低下させた積層型コモンモードチョークコイル及びその製造方法に関する。
【０００２】
【従来の技術】
従来より、パーソナルコンピュータやその周辺機器で採用されているＵＳＢ（Ｕｎｉｖｅｒｓａｌ  Ｓｅｒｉａｌ  Ｂｕｓ）、ＩＥＥＥ１３９４（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）及びＬＤＶＳ（Ｌｏｗ  Ｖｏｌｔａｇｅ  Ｄｉｆｆｅｒｅｎｔｉａｌ  Ｓｉｇｎａｌｉｎｇ）といった高速の差動伝送方式のラインに流れるコモンモードノイズを除去するために、コモンモードチョークコイルが使用されている。
【０００３】
このコモンモードチョークコイルは、２つ以上のコイルを磁気的に組み合わせたコイルのことであり、電流の伝導方向におけるノーマルモードの成分には影響を与えないようにしてコモンモードの成分のみを除去するように構成したものである。すなわち、ノーマルモードのインピーダンスを最小限に抑えて、コモンモードのインピーダンスをできるだけ大きくすることが必要となる。
【０００４】
従来のコモンモードチョークコイルとしては、１ターン以上の渦巻状とした外側の第１内部導体及び内側の第２内部導体が互いに短絡しないよう同一磁性体シート内に設けられ、この磁性体シートを複数積層して第１内部導体及び第２内部導体をそれぞれ接続することにより、二つのコイルパターンを形成したものが知られている。なお、積層する磁性体シート間における第１内部導体及び第２内部導体の接続については、スルーホールを介して行われている。（たとえば、特許文献１参照）
【０００５】
【特許文献１】
特開２００２−２１７０３１号公報（第３頁−第７頁、図１及び図５）
【０００６】
【発明が解決しようとする課題】
ところで、上述した従来技術のコモンモードチョークコイルによれば、コイル１を形成する第１内部導体及びコイル２を形成する第２内部導体は、いずれも同一磁性体シート内に渦巻状に形成されているので、互いの磁束が影響を及ぼしあう内部導体、すなわち磁気結合に寄与する内部導体の長さ（線長）を長く設定することができる。このため、コモンモードのインピーダンス値が高くなるので、コモンモードにおけるノイズの除去性能を高くすることができる。
【０００７】
しかしながら、上述した従来技術の内部導体配置では、第１内部導体及び第２内部導体の長さを比較した場合、それぞれの長さが異なっている。このため、ノーマルモードに対して、コイル１及びコイル２は互いの磁束量を打ち消しあうことができないため、すなわち磁気結合ができないため、ノーマルモードのインピーダンス値が高くなるという問題が生じてくる。すなわち、ノーマルモードにおけるインピーダンスが高いと、信号波形なまりの原因となることがあり、高速信号波形に影響を及ぼすという不都合を生じる。
【０００８】
また、上述した特許文献１の他の実施形態には、第１内部導体及び第２内部導体を互いに短絡しないよう形成した磁性体シートの上下面に対し、第３内部導体が形成された磁性体シートを下面側に配設し、第４内部導体が形成された磁性体シートを上面側に配設して積層した構成が示されている。この場合、第１内部導体と第３内部導体との間、そして、第２内部導体と第４内部導体との間は、それぞれスルーホールを介して接続されて二つのコイルパターンを形成している。
【０００９】
このような構成とすれば、二つのコイルパターンにおける内部導体の長さを等しくして磁気結合させることができ、従って、ノーマルモードにおけるインピーダンス値を低下させることが可能になる。しかし、第３内部導体及び第４内部導体は上下に離間して配置されているので、互いに影響しあって磁束を打ち消しあうことはなく、磁気結合に寄与する内部導体の長さが短くなってコモンモードのインピーダンス値を低下させるという問題が生じてくる。
本発明は、上記の事情に鑑みてなされたもので、ノーマルモード及びコモンモードのいずれにおいてもインピーダンスを最適化（ノーマルモードで低く、コモンモードで高い）し、ノイズ除去特性を向上させることができる積層型コモンモードチョークコイル及びその製造方法の提供を目的としている。
【００１０】
【課題を解決するための手段】
本発明は、上記課題を解決するため、以下の手段を採用した。
請求項１に記載の積層型コモンモードチョークコイルは、複数の非磁性絶縁材料を積層し同方向の渦巻状とした第１及び第２の内部導体を形成する非磁性絶縁材料層と、該非磁性積層体層の上下両面に配置された磁性材料層とを具備してなる積層体に、前記第１及び第２の内部導体に接続された外部電極が設けられている積層型コモンモードチョークコイルであって、
第１上部導体及び第１下部導体が第１スルーホールを介して連続するよう接続された前記第１の内部導体と、第２上部導体及び第２下部導体が第２スルーホールを介して連続するよう接続された前記第２の内部導体とが同じ長さとされ、
前記非磁性絶縁材料層は、前記第１上部導体を外側にかつ前記第２上部導体を内側に配置して互いに短絡しないようそれぞれを１ターン以上設けた非磁性絶縁材料Ａと、前記第１下部導体を外側にかつ前記第２下部導体を内側に配置して互いに短絡しないようそれぞれを１ターン以上設けた非磁性絶縁材料Ｂと、を具備して上から順に積層されていることを特徴とするものである。
【００１１】
このような請求項１記載の積層型コモンモードチョークコイルによれば、第１上部導体及び第１下部導体が第１スルーホールを介して連続するよう接続された第１の内部導体と、第２上部導体及び第２下部導体が第２スルーホールを介して連続するよう接続された第２の内部導体とが同じ長さとされ、非磁性絶縁材料層は、第１上部導体を外側にかつ第２上部導体を内側に配置して互いに短絡しないようそれぞれを１ターン以上設けた非磁性絶縁材料Ａと、第１下部導体を外側にかつ第２下部導体を内側に配置して互いに短絡しないようそれぞれを１ターン以上設けた非磁性絶縁材料Ｂと、を具備して上から順に積層されているので、長さが等しい第１の内部導体と第２の内部導体とを磁気結合させ、コモンモードのインピーダンス値を高くするよう磁気結合の長さを十分に確保し、かつ、ノーマルモードにおけるインピーダンス値を小さくすることができる。
【００１２】
請求項２記載の積層型コモンモードチョークコイルの製造方法は、複数の非磁性絶縁材料を積層し同方向の渦巻状とした第１及び第２の内部導体を形成する非磁性絶縁材料層と、該非磁性積層体層の上下両面に配置された磁性材料層とを具備してなる積層体に、前記第１及び第２の内部導体に接続された外部電極が設けられている積層型コモンモードチョークコイルの製造方法であって、
前記非磁性絶縁材料層は、第１上部導体を外側にかつ第２上部導体を内側に配置して互いに短絡しないようそれぞれ１ターン以上設けた非磁性絶縁材料Ａと、第１下部導体を外側にかつ第２下部導体を内側に配置して互いに短絡しないようそれぞれ１ターン以上設けた非磁性絶縁材料Ｂとを積層し、
前記第１上部導体から第１スルーホールを介して前記第１下部導体に接続される前記第１の内部導体の有効長さと、前記第２上部導体から前記第２スルーホールを介して前記第２下部導体に接続される前記第２の内部導体の有効長さとを等しくすることを特徴とするものである。
【００１３】
このような積層型コモンモードチョークコイルの製造方法によれば、非磁性絶縁材料層は、第１上部導体を外側にかつ第２上部導体を内側に配置して互いに短絡しないようそれぞれ１ターン以上設けた非磁性絶縁材料Ａと、第１下部導体を外側にかつ第２下部導体を内側に配置して互いに短絡しないようそれぞれ１ターン以上設けた非磁性絶縁材料Ｂとを積層し、第１上部導体から第１スルーホールを介して第１下部導体に接続される第１の内部導体の有効長さと、第２上部導体から第２スルーホールを介して第２下部導体に接続される第２の内部導体の有効長さとを等しくするので、ノーマルモードのインピーダンスが小さい積層型コモンモードチョークコイルを容易に製造することができる。
【００１４】
【発明の実施の形態】
以下、本発明によるコモンモードチョークコイル及びその製造方法の一実施形態を図面に基づいて説明する。なお、図１は本発明におけるコモンモードチョークコイルの分解斜視図、図２は図１の完成状態を示すコモンモードチョークコイルの外観斜視図、図３は本発明によるコモンモードチョークコイルの磁気結合の様子を示す分解斜視図である。
【００１５】
図１及び図２において、図中の符号１０はコモンモードチョークコイルを示している。このコモンモードチョークコイル１０は、シート状とした複数枚の非磁性絶縁材料及び磁性材料を積層して一体化した構成とされる。また、略直方体形状の積層体としたコモンモードチョークコイル１０の対向する２側面には、後述する２組の内部導体と引出電極を介して接続されている４つの外部電極１１，１２，１３，１４が分配して設けられている。
図１に示す構成例では、積層体としたコモンモードチョークコイル１０の上下両端面側に、それぞれが１または複数層よりなる磁性材料層１５，１６を配置してある。そして、これら上下の磁性材料層１５，１６の間には、少なくとも２層よりなる非磁性絶縁材料層２０を配置してある。
【００１６】
磁性材料層１５，１６は、それぞれが磁性材料１５ａ，１５ｂ，１５ｃ及び磁性材料１６ａ，１６ｂ，１６ｃを３層に積層した構成とされる。ここで、磁性材料層１５，１６としては高透過率のものが好ましく、使用可能なシート状の磁性材料には、たとえばＮｉ−Ｚｎフェライト、Ｎｉ−Ｚｎ−Ｃｕフェライト等がある。
なお、磁性材料層１５，１６については、上述した３層に限定されることはなく、磁性材料の種類や厚みに応じて適宜変更することができる。
【００１７】
非磁性絶縁材料層２０は、上面側から第１非磁性絶縁材料２１、第２非磁性絶縁材料（非磁性絶縁材料Ａ）２２、第３非磁性絶縁材料（非磁性絶縁材料Ｂ）２３及び第４非磁性絶縁材料２４の順に、シート状の非磁性絶縁材料を４層に積層した構成とされる。ここで、非磁性絶縁材料層２０として使用可能なシート状の非磁性絶縁材料には、たとえばアルミナ、シリカなどのセラミックス材料やポリイミド樹脂などの樹脂材料等がある。
なお、第１非磁性絶縁材料２１及び第４非磁性材料２４については、諸条件に応じてなくしたり、あるいはそれぞれを２層以上としてもよい。
【００１８】
さて、上述した４層の非磁性絶縁材料のうち、中間部の第２非磁性絶縁材料２２及び第３非磁性絶縁材料２３には、それぞれの上面に渦巻状（スパイラル状）とした第１上部導体３１ａ，第２上部導体３２ａ及び第１下部導体３１ｂ，第２下部導体３２ｂが設けられている。なお、これらの各導体３１ａ，３１ｂ，３２ａ，３２ｂは、たとえば銀などの導電体を印刷やメッキなど周知の手法により形成したものである。
【００１９】
このうち、第１上部導体３１ａ及び第２上部導体３２ａは、第２非磁性絶縁材料２２の上面に形成され、それぞれが１ターン以上の渦巻状となっている。そして、第１上部導体３１ａの内側には第２上部導体３２ａが略平行に配置され、互いに短絡しないように設けられている。すなわち、第１上部導体３１ａと第２上部導体３２ａとを１つの組とした場合、この１組が渦巻状になっており、その渦巻方向は、上面視において第１上部導体３１ａ及び第２上部導体３２ａ共に同じ方向となっている。
【００２０】
第１上部導体３１ａの一方の端部、すなわち渦巻きの外側となる端部には、外部電極１１に接続される引出電極部３４が形成されている。また、第１上部導体３１ａの他方の端部、すなわち渦巻きの内側となる端部へ至る途中には、第２非磁性絶縁材料２２を貫通する第１スルーホール２２ａが設けられている。この結果、第１上部導体３１ａの他端側は、第１スルーホール２２ａを介して、後述する第３非磁性絶縁材料２３側に形成されている第１下部導体３１ｂと電気的に接続されている。
【００２１】
同様に、第２上部導体３２ａの一方の端部、すなわち渦巻きの外側となる端部には外部電極１３に接続される引出電極３６が形成されている。また、第２下部導体３２ａの他方の端部、すなわち渦巻きの内側となる端部には、第２非磁性絶縁材料２２を貫通する第２スルーホール２２ｂが設けられている。この結果、第２上部導体３２ａの他端側は、第２スルーホール２２ｂを介して、後述する第３非磁性絶縁材料２３側に形成されている第２下部導体３２ｂと電気的に接続されている。
【００２２】
また、第１下部導体３１ｂ及び第２下部導体３２ｂは、第３非磁性絶縁材料２３の上面に形成され、それぞれが１ターン以上の渦巻状となっている。この場合においても、上述した第２非磁性絶縁材料２２の上部導体配置と同様に、第１下部導体３１ｂの内側に第２下部導体３２ｂが略平行に配置され、互いに短絡しないように設けられている。すなわち、第１下部導体３１ｂと第２下部導体３２ｂとを１つの組とした場合、この１組が渦巻状になっており、その渦巻方向は、上面視において第１下部導体３１ｂ及び第２下部導体３２ｂ共に同じ方向となっており、しかも、上述した上部導体３１ａ及び第２上部導体３２ａとも同方向となっている。
【００２３】
第１下部導体３１ｂの一方の端部、すなわち渦巻きの外側となる端部には、外部電極１２に接続される引出電極３５が形成されている。また、第１下部導体３１ｂの他方の端部、すなわち渦巻きの内側となる端部へ至る途中が、第１スルーホール２２ａを介して上述した第２非磁性絶縁材料２２に形成されている第１上部導体３１ａと電気的に接続されている。
同様に、第２下部導体３２ｂの一方の端部、すなわち渦巻きの外側となる端部には外部電極１４に接続される引出電極３７が形成されている。また、第２下部導体３２ｂの他方の端部、すなわち渦巻きの内側となる端部は、第２スルーホール２２ｂを介して上述した第２非磁性絶縁材料２２側に形成されている第２上部導体３２ａと電気的に接続されている。
【００２４】
ここで、渦巻状の内部導体について、第２非磁性絶縁材料２２と第３非磁性絶縁材料２３とに形成する渦巻きの内側及び外側に関する配置を同じにして、第１上部／下部導体（以下、「第１内部導体３１」と呼ぶ）及び第２上部／下部導体（以下、「第２内部導体３２」と呼ぶ）の有効長さを同じにするための構成について詳細に説明する。
すなわち、第２非磁性絶縁材料２２側及び第３非磁絶縁材料２３側で共に内側に配置され、第２スルーホール２２ｂを介して電気的に接続されている第２内部導体３２は、その全長が外側に配置されている第１内部導体３１より短くなる。そこで、内部導体の有効長さをできるだけ大きく確保するため、短い第２内部導体３２側を全て使用すると共に、第２内部導体３２の長さに合わせて第１内部導体３１の内側にダミー部を設ける。
【００２５】
これを具体的に説明すると、第１上部導体３１ａの外側端部から内側端部方向へ、第２上部導体３２ａと同じ有効長さを確保した位置に第１スルーホール２２ａを設け、第１スルーホール２２ａより内側となる一部の第１上部導体３１ａについては、コイルとして機能しないダミー部とされる。また、第１スルーホール２２ａを介して電気的に接続される第１下部導体３１ｂ側でも、第１スルーホール２２ａより外側の部分は第２下部導体３２ｂと有効長さが等しいコイルとして機能し、第１スルーホール２２ａより内側の部分はダミー部とされる。
なお、第１上部導体３１ａ及び第１下部導体３１ｂのダミー部については、最初から導体部を形成しないことも可能である。
【００２６】
従って、第１上部導体３１ａの外側端部から第１スルーホール２２ａを経て第１下部導体３１ｂの外側端部までが通電可能に連続して第１のコイルを形成する実質的な第１導体３１となり、第２上部導体３２ａの外側端部から第２スルーホール２２ｂを経て第２下部導体３２ｂの外側端部までが通電可能に連続して第２のコイルを形成する第２導体３２となり、二つのコイルを形成する第１導体３１及び第２導体３２のコイル有効長さ（渦巻き長さ）は等しくなる。
【００２７】
以上のように構成された本発明のコモンモードチョークコイル１０について、以下にその製造方法を説明する。
最初に、所定の形状（たとえば矩形状）としたシート状の第１非磁性絶縁材料２１、第２非磁性絶縁材料２２、第３非磁性絶縁材料２３及び第４非磁性絶縁材料２４を作製する。
次に、中間位置となる第２非磁性絶縁材料２２の所定位置に、レーザ、パンチングなど周知の手法を用いて穴あけ加工を施し、スルーホール２２ａ，２２ｂを設ける。
【００２８】
次に、第２非磁性絶縁材料２２及び第３非磁性絶縁材料２３の上面に、それぞれ１ターン以上の第１上部導体３１ａ，第２上部導体３２ａ及び第１下部導体３２ａ，第２下部導体３２ｂを、印刷やメッキなど周知の手法を用いて互いに短絡しないように形成する。
【００２９】
この時、第１上部導体３１ａの一端には引出電極３４が、第２上部導体３２ａの一端には引出電極３６が、第１上部導体３１ｂの一端には引出電極３５が、そして第２下部電極３２ｂの一端には引出電極３７がそれぞれ一体に連続して形成されている。また、スルーホール２２ａ，２２ｂには、スルーホールを設けた非磁性絶縁材料に形成される導体と一体的に連続するよう銀などの導電材料が充填される。なお、スルーホールを介して接続される非磁性絶縁材料側の導体とは、導体側に図示しない凸状の電極部を設けるなどしてスルーホールの導電体に接触させ、電気的に接続されるようになっている。
【００３０】
次に、第１非磁性絶縁材料２１、第２非磁性絶縁体材料２２、第３非磁性絶縁材料２３及び第４非磁性絶縁材料２４を積層し、非磁性絶縁材料層２０を形成する。これにより、第１上部導体３１ａ及び第１下部導体３１ｂがスルーホール２２ａを介して電気的に接続され、また、第２上部導体３１ａ及び第２下部導体３２ｂがスルーホール２２ｂを介して電気的に接続される。
なお、磁性材料層１５，１６は、非磁性材料層２０を挟み込むようにして上下に積層されることにより、積層体が完成する。
【００３１】
また、上述したコモンモードチョークコイル１０は、各非磁性絶縁材料に対し所定のピッチで複数組の内部導体を形成して積層してもよく、この場合、ダイシングなどで切断することにより、上述した積層体を同時に多数製造することができる。
最後に、積層体の対向する両側面に露出した引出電極３４，３５，３６，３７と接続させて、銀などの導電体からなる外部電極１１，１２，１３，１４をそれぞれ形成し、上述した構成のコモンモードチョークコイルを製造する。このような製造方法により、第１内部導体３１及び第２内部導体３２の有効長さを等しくした構成のコモンモードチョークコイル１０を容易に製造することができる。
なお、外部電極１１，１２，１３，１４は、必要に応じて銀などの導電体の上面にメッキ処理を施してもよい。
【００３２】
このように構成されたコモンモードチョークコイル１０は、バイファイラ巻きとして第１内部導体３１及び第２内部導体３２の長さを十分に確保し、しかも、両内部導体３１，３２の長さを等しくしてあるので、コモンモードのインピーダンス値を高くし、かつ、ノーマルモードのインピーダンス値を低く抑えることができる。
【００３３】
図３は、上述したコモンモードチョークコイル１０において、ノーマルモード時における磁気結合の様子を示す図である。
この場合、第１内部導体３１及び第２内部導体３２の長さを等しく設定してあるので、第１上部導体３１ａと第２上部導体３２ａとが影響し合って矢印Ｚ１，Ｚ２のように磁気結合し、同時に、第１下部導体３１ｂと第２下部導体３２ｂとが影響し合って矢印Ｚ３，Ｚ４のように磁気結合する。この結果、矢印Ｚ５，Ｚ６で示すように、コモンモードチョークコイル１０全体に大きな磁気結合が生じることとなり、二つの磁束が打ち消し合うためノーマルモードのインピーダンス値を低減することができる。すなわち、内部導体の長さを十分に確保することでコモンモードにおけるインピーダンス値を高くしてノイズ除去性能が向上し、かつ、ノーマルモードにおけるインピーダンス値を低減して電流が流れやすい、すなわち高速信号波形に影響を及ぼすことのない積層型のコモンモードチョークコイル１０となる。
【００３４】
また、上述したコモンモードチョークコイル１０は、たとえば図４に示すように、上述した構成のものを複数組並べて、アレイ化することも可能である。
なお、本発明の構成は上述した実施形態に限定されるものではなく、本発明の要旨を逸脱しない範囲内において適宜変更することができる。
【００３５】
【発明の効果】
本発明の積層型コモンモードチョークコイルは、第１上部導体及び第１下部導体が第１スルーホールを介して連続するよう接続された第１の内部導体と、第２上部導体及び第２下部導体が第２スルーホールを介して連続するよう接続された第２の内部導体とが同じ長さとされ、非磁性絶縁材料層は、第１上部導体を外側にかつ第２上部導体を内側に配置して互いに短絡しないようそれぞれを１ターン以上設けた非磁性絶縁材料Ａと、第１下部導体を外側にかつ第２下部導体を内側に配置して互いに短絡しないようそれぞれを１ターン以上設けた非磁性絶縁材料Ｂと、を具備して上から順に積層されているので、長さが等しい第１の内部導体と第２の内部導体とを磁気結合させ、コモンモードのインピーダンス値を高くするよう磁気結合の長さを十分に確保し、かつ、ノーマルモードにおけるインピーダンス値を小さくすることができる。このため、コモンモードのインピーダンス値を高く設定することでコモンモードノイズを効果的に除去し、しかも、ノーマルモードにおける信号波形なまりの原因を取り除くためにインピーダンス値を小さくし、高速信号波形に影響を与えることなくコモンモードノイズのみを効果的に除去することができるようになるので、優れたノイズ除去特性を備えた積層型コモンモードチョークコイルを得ることができる。
【００３６】
また、本発明による積層型コモンモードチョークコイルの製造方法によれば、非磁性絶縁材料層は、第１上部導体を外側にかつ第２上部導体を内側に配置して互いに短絡しないようそれぞれ１ターン以上設けた非磁性絶縁材料Ａと、第１下部導体を外側にかつ第２下部導体を内側に配置して互いに短絡しないようそれぞれ１ターン以上設けた非磁性絶縁材料Ｂとを積層し、第１上部導体から第１スルーホールを介して第１下部導体に接続される第１の内部導体の有効長さと、第２上部導体から第２スルーホールを介して第２下部導体に接続される第２の内部導体の有効長さとを等しくするので、ノーマルモードのインピーダンスが小さい積層型コモンモードチョークコイルの製造を容易にし、小型でコモンモードのインピーダンス値が高い製品を得ることができる。
【図面の簡単な説明】
【図１】本発明に係る積層型コモンモードチョークコイルの一実施形態を示す分解斜視図である。
【図２】図１の完成状態を示す斜視図である。
【図３】図１の積層型コモンモードチョークコイルにおける磁気結合の様子を示す図である。
【図４】本発明の変形例としてアレイ化した積層型コモンモードチョークコイルを示す分解斜視図である。
【符号の説明】
１０    コモンモードチョークコイル
１１、１２，１３，１４    外部電極
１５，１６    磁性材料層
１５ａ，１５ｂ，１５ｃ，１６ａ，１６ｂ，１６ｃ    磁性材料
２０    非磁性絶縁材料層
２１    第１非磁性絶縁材料
２２    第２非磁性絶縁材料（非磁性絶縁材料Ａ）
２２ａ，２２ｂ    スルーホール
２３    第３非磁性絶縁材料（非磁性絶縁材料Ｂ）
２４    第４非磁性絶縁材料
３１    第１内部導体
３１ａ    第１上部導体
３１ｂ    第１下部導体
３２    第２内部導体
３２ａ    第２上部導体
３２ｂ    第２下部導体
３４，３５，３６，３７    引出電極
【図１】
2004304118.tif 000003
【図２】
2004304118.tif 000004
【図３】
2004304118.tif 000005
【図４】
2004304118.tif 000006